(57)【要約】【課題】簡易な構成で液体の量を把握できる記録装置、情報処理装置、プログラム及び記憶媒体を提供する。【解決手段】記録装置は、液体を用いて媒体に記録する記録部と、記録部に供給される液体を収容可能であって且つ収容する液体を視認するための視認面を有する液体収容部と、液体収容部が収容する液体の量を表示する表示部と、を備え、表示部は、液体の量を適宜の量に設定可能な設定画面を表示する。【選択図】図６
2019010797.tif 000002
【特許請求の範囲】
【請求項１】
液体を用いて媒体に記録する記録部と、
前記記録部に供給される前記液体を収容可能であって且つ収容する前記液体を視認するための視認面を有する液体収容部と、
前記液体収容部が収容する前記液体の量を表示する表示部と、を備え、
前記表示部は、前記液体の量を適宜の量に設定可能な設定画面を表示することを特徴とする記録装置。
【請求項２】
前記液体収容部に対して開閉可能な蓋と、
前記蓋の開閉を検知可能な検知部と、を備え、
前記液体収容部は、前記液体収容部内に前記液体を注入するための注入口を有し、
前記蓋は、前記液体収容部に対して閉じることで前記注入口を覆い、前記液体収容部に対して開くことで前記注入口を露出させ、
前記設定画面は、前記液体収容部に対して前記蓋が開いたことを前記検知部が検知した際に、前記表示部に表示されることを特徴とする請求項１に記載の記録装置。
【請求項３】
前記液体収容部内に前記液体を注入するための注入口に着脱可能な栓と、
前記栓の着脱を検知可能な検知部と、を備え、
前記栓は、前記注入口に取り付けられることで前記注入口を閉栓し、前記注入口から取り外されることで前記注入口を開栓し、
前記設定画面は、前記注入口から前記栓が取り外されたことを前記検知部が検知した際に、前記表示部に表示されることを特徴とする請求項１に記載の記録装置。
【請求項４】
前記表示部は、タッチパネルとして構成されていることを特徴とする請求項１乃至請求項３のうち何れか一項に記載の記録装置。
【請求項５】
前記設定画面には、予め規定された複数の規定量と対応する複数の規定量ボックスが表示され、
前記規定量ボックスを選択することによって、選択された前記規定量ボックスに対応する前記規定量が前記液体収容部に収容される前記液体の量として入力可能であることを特徴とする請求項１乃至請求項４のうち何れか一項に記載の記録装置。
【請求項６】
前記設定画面には、前記液体収容部の前記視認面を模したゲージが表示され、
前記ゲージにおける任意の位置を指示することによって、指示された位置に対応する前記液体の量が入力可能であることを特徴とする請求項１乃至請求項４のうち何れか一項に記載の記録装置。
【請求項７】
前記表示部は、前記液体の量が入力されると、前記ゲージにおいてその下端からユーザーが指示した位置に向けて徐々に着色されるようにして、入力された前記液体の量を表示することを特徴とする請求項６に記載の記録装置。
【請求項８】
前記表示部は、前記液体の量が入力されると、前記ゲージにおいてその下端からユーザーが指示した位置に亘って延びるバーを表示する請求項６又は請求項７に記載の記録装置。
【請求項９】
前記ゲージは、前記視認面と縦横比が同一となるように表示されることを特徴とする請求項６乃至請求項８のうち何れか一項に記載の記録装置。
【請求項１０】
前記液体収容部は複数設けられ、
前記ゲージは、複数の前記液体収容部の前記視認面と配列が同一となるように表示されることを特徴とする請求項６乃至請求項９のうち何れか一項に記載の記録装置。
【請求項１１】
前記設定画面には、入力された前記液体の量を文字情報として示す液体量ボックスが表示されることを特徴とする請求項６乃至請求項１０のうち何れか一項に記載の記録装置。
【請求項１２】
前記液体量ボックスは、前記ゲージの上部又は下部に位置するように表示されることを特徴とする請求項１１に記載の記録装置。
【請求項１３】
請求項１乃至請求項１２のうち何れか一項に記載の記録装置が備える制御部が実行するプログラムであって、
前記表示部に前記設定画面を表示させる表示ステップを前記制御部に実行させることを特徴とするプログラム。
【請求項１４】
請求項１３に記載のプログラムが記憶されていることを特徴とする記憶媒体。
【請求項１５】
液体を用いて媒体に記録する記録部と、前記記録部に供給される前記液体を収容可能であって且つ収容する前記液体を視認するための視認面を有する液体収容部と、を備える記録装置と通信可能な情報処理装置であって、
前記液体収容部が収容する前記液体の量を適宜の量に設定可能な設定画面を表示する表示部を備え、
前記設定画面に入力された前記液体の量を前記記録装置に送信することを特徴とする情報処理装置。
【請求項１６】
請求項１５に記載の情報処理装置が備える制御部が実行するプログラムであって、
前記表示部に前記設定画面を表示させる表示ステップを前記制御部に実行させることを特徴とするプログラム。
【請求項１７】
請求項１６に記載のプログラムが記憶されていることを特徴とする記憶媒体。
【発明の詳細な説明】
【技術分野】
【０００１】
本発明は、記録装置、情報処理装置、プログラム及びそのプログラムを記憶する記憶媒体に関する。
【背景技術】
【０００２】
液体収容体から供給された液体を吐出することによって媒体に記録する記録装置がある。こうした記録装置の一例として、特許文献１には、液体収容体に収容される液体の液面の位置を検出可能なセンサーを備えるプリンターが記載されている。このプリンターは、液体収容体に収容される液面の位置をセンサーが検出することによって、液体の補充後であっても液体の量を把握する。
【先行技術文献】
【特許文献】
【０００３】
【特許文献１】特開２０１６−２２１７６１号公報
【発明の概要】
【発明が解決しようとする課題】
【０００４】
特許文献１に記載のプリンターにおいては、こうしたセンサーを備えるために、部品代および製造コストが増す。
本発明の目的は、簡易な構成で液体の量を把握できる記録装置、情報処理装置、プログラム及び記憶媒体を提供することにある。
【課題を解決するための手段】
【０００５】
以下、上記課題を解決するための手段及びその作用効果について記載する。
上記課題を解決する記録装置は、液体を用いて媒体に記録する記録部と、前記記録部に供給される前記液体を収容可能であって且つ収容する前記液体を視認するための視認面を有する液体収容部と、前記液体収容部が収容する前記液体の量を表示する表示部と、を備え、前記表示部は、前記液体の量を適宜の量に設定可能な設定画面を表示する。
【０００６】
この構成によれば、ユーザーが、視認面から視認される液体の量に基づいて、液体収容部に収容される液体の量を設定画面に入力する。すなわち、ユーザー自身が目視で確認した液体の量を装置に反映させることができる。したがって、簡易な構成で液体の量を把握できる。
【０００７】
上記記録装置においては、前記液体収容部に対して開閉可能な蓋と、前記蓋の開閉を検知可能な検知部と、を備え、前記液体収容部は、前記液体収容部内に前記液体を注入するための注入口を有し、前記蓋は、前記液体収容部に対して閉じることで前記注入口を覆い、前記液体収容部に対して開くことで前記注入口を露出させ、前記設定画面は、前記液体収容部に対して前記蓋が開いたことを前記検知部が検知した際に、前記表示部に表示されることが好ましい。
【０００８】
この構成によれば、蓋が開いた際に表示部に設定画面が表示されるため、ユーザーが液体の量を入力する際の使い勝手を向上できる。
上記記録装置においては、前記液体収容部内に前記液体を注入するための注入口に着脱可能な栓と、前記栓の着脱を検知可能な検知部と、を備え、前記栓は、前記注入口に取り付けられることで前記注入口を閉栓し、前記注入口から取り外されることで前記注入口を開栓し、前記設定画面は、前記注入口から前記栓が取り外されたことを前記検知部が検知した際に、前記表示部に表示されることが好ましい。
【０００９】
この構成によれば、栓を取り外した際に表示部に設定画面が表示されるため、ユーザーが液体の量を入力する際の使い勝手を向上できる。
上記記録装置において、前記表示部は、タッチパネルとして構成されていることが好ましい。
【００１０】
この構成によれば、ユーザーが液体の量を入力する際の使い勝手を向上できる。
上記記録装置において、前記設定画面には、予め規定された複数の規定量と対応する複数の規定量ボックスが表示され、前記規定量ボックスを選択することによって、選択された前記規定量ボックスに対応する前記規定量が前記液体収容部に収容される前記液体の量として入力可能であることが好ましい。
【００１１】
この構成によれば、ユーザーが、視認面から視認される液体の量に基づいて、液体収容部に収容される液体の量を複数の規定量から選択して入力する。そのため、ユーザーが液体の量を容易に入力できる。
【００１２】
上記記録装置において、前記設定画面には、前記液体収容部の前記視認面を模したゲージが表示され、前記ゲージにおける任意の位置を指示することによって、指示された位置に対応する前記液体の量が入力可能であることが好ましい。
【００１３】
ユーザーが、ゲージにおいて、視認面から視認される液体の液面位置と一致する位置を指示する。これにより、液体収容部に収容される液体の量が入力される。この構成によれば、視認面から視認される液体の量に基づいて、ユーザーがその液体の量を直感的に入力できる。
【００１４】
上記記録装置において、前記表示部は、前記液体の量が入力されると、前記ゲージにおいてその下端からユーザーが指示した位置に向けて徐々に着色されるようにして、入力された前記液体の量を表示することが好ましい。
【００１５】
この構成によれば、ユーザーが入力した液体の量をユーザーに対してイメージし易く表示できる。
上記記録装置において、前記表示部は、前記液体の量が入力されると、前記ゲージにおいてその下端からユーザーが指示した位置に亘って延びるバーを表示することが好ましい。
【００１６】
この構成によれば、ユーザーが指示した位置をユーザーに対してイメージし易く表示できる。
上記記録装置において、前記ゲージは、前記視認面と縦横比が同一となるように表示されることが好ましい。
【００１７】
この構成によれば、ゲージが液体収容部の視認面と近しいイメージで表示される。そのため、ユーザーが液体の量を入力する際の使い勝手を向上できる。
上記記録装置において、前記液体収容部は複数設けられ、前記ゲージは、複数の前記液体収容部の前記視認面と配列が同一となるように表示されることが好ましい。
【００１８】
この構成によれば、ゲージが液体収容部の視認面と近しいイメージで表示される。そのため、ユーザーが液体の量を入力する際の使い勝手を向上できる。
上記記録装置において、前記設定画面には、入力された前記液体の量を文字情報として示す液体量ボックスが表示されることが好ましい。
【００１９】
この構成によれば、ユーザーが入力した液体の量をユーザーに対して分かり易く表示できる。
上記記録装置において、前記液体量ボックスは、前記ゲージの上部又は下部に位置するように表示されることが好ましい。
【００２０】
この構成によれば、ユーザーが入力した液体の量をユーザーに対して分かり易く表示できる。
上記課題を解決するプログラムは、上記構成の記録装置が備える制御部が実行するプログラムであって、前記表示部に前記設定画面を表示させる表示ステップを前記制御部に実行させる。
【００２１】
上記課題を解決する記憶媒体には、上記構成のプログラムが記憶されている。
上記課題を解決する情報処理装置は、液体を用いて媒体に記録する記録部と、前記記録部に供給される前記液体を収容可能であって且つ収容する前記液体を視認するための視認面を有する液体収容部と、を備える記録装置と通信可能な情報処理装置であって、前記液体収容部が収容する前記液体の量を適宜の量に設定可能な設定画面を表示する表示部を備え、前記設定画面に入力された前記液体の量を前記記録装置に送信する。
【００２２】
この構成によれば、上述した記録装置と同様の作用効果を得ることができる。
上記課題を解決するプログラムは、上記構成の情報処理装置が備える制御部が実行するプログラムであって、前記表示部に前記設定画面を表示させる表示ステップを前記制御部に実行させる。
【００２３】
上記課題を解決する記憶媒体には、上記構成のプログラムが記憶されている。
【図面の簡単な説明】
【００２４】
【図１】記録装置の一実施形態の斜視図。
【図２】液体収容部及び収容部の斜視図。
【図３】液体収容部の斜視図。
【図４】液体収容部及び収容部の正面図。
【図５】記録装置の電気的構成を示すブロック図。
【図６】設定画面の模式図。
【図７】設定画面に液体の量を入力するときの模式図。
【図８】設定画面に液体の量を入力したときの模式図。
【図９】設定画面に液体の量を入力したときの模式図。
【図１０】設定画面に液体の量を入力したときの模式図。
【図１１】設定画面の変更例を示す模式図。
【図１２】情報処理装置の模式図。
【発明を実施するための形態】
【００２５】
以下、記録装置の一実施形態について図を参照して説明する。
図１に示すように、記録装置１１は、直方体状の筐体１２を備えている。記録装置１１は、原稿を読取可能な読取部２０と、記録装置１１を操作するための操作パネル３０と、記録装置１１に媒体をセット可能な媒体カセット４０とを備えている。記録装置１１は、文字、写真等の画像を媒体に記録する記録部５０と、液体を収容可能な液体収容部６０と、液体収容部６０を収容する収容部７０とを備えている。本実施形態において、操作パネル３０が配置されている側の面を記録装置１１の前面とし、その反対側の面を記録装置１１の背面とする。記録装置１１の前面及び背面は、記録装置１１の幅方向及び上下方向に広がりを有する面である。そのため、筐体１２は、記録装置１１の幅方向、上下方向及び奥行方向に広がりを有する。本実施形態においては、説明の便宜のために、図１において、幅方向の右側を第１端側とし、幅方向の左側と第２端側とする。
【００２６】
読取部２０は、筐体１２の上部に配置されている。読取部２０は、例えばスキャナーとして構成され、原稿をセットするための原稿台２１と、原稿カバー２２とを有している。原稿カバー２２は、記録装置１１の背面側となる端部を支点に、原稿台２１に対して開閉可能に構成されている。読取部２０は、原稿台２１と原稿カバー２２との間にセットされる原稿に記録されている文字、写真等の画像を読み取る。原稿台２１は、記録装置１１の背面側となる端部を支点に、筐体１２に対して開閉可能に構成されている。原稿台２１を含む読取部２０が開くと、筐体１２の内部が露出する。
【００２７】
操作パネル３０は、記録装置１１の前面側に配置されている。操作パネル３０は、記録装置１１の外装の一部を構成している。本実施形態の操作パネル３０は、記録装置１１を操作するための操作部の一例である。操作パネル３０は、電源ボタン３１と、表示部３２とを有している。電源ボタン３１は、操作パネル３０において、幅方向の第２端側寄りとなる位置に配置されている。電源ボタン３１は、装置本体の電源をオンとオフとに切り替えるためのボタンである。
【００２８】
表示部３２は、記録装置１１を操作するための各種情報が表示可能に構成されている。表示部３２は、幅方向において電源ボタン３１と隣り合うように配置されている。表示部３２は、操作パネル３０において幅方向の中央寄りとなる位置に、矩形状のモニターとして設けられている。本実施形態において、表示部３２は、タッチパネルとして構成されている。そのため、ユーザーは、表示部３２であるタッチパネルを介して記録装置１１を操作する。なお、操作パネル３０は、記録装置１１を操作するための操作ボタン等を有してもよい。操作パネル３０は、その上端を支点に、筐体１２に対して開閉可能に構成されている。操作パネル３０が開くと、筐体１２の内部から外部に向けて媒体を排出するための排出口が露出する。
【００２９】
媒体カセット４０は、筐体１２の下部に配置されている。媒体カセット４０は、筐体１２に対して挿抜可能に構成されている。媒体カセット４０は、筐体１２に対して挿抜する際に、ユーザーが手を掛けるための取っ手４１が形成された操作板４２を有している。操作板４２は、記録装置１１の外装の一部を構成している。すなわち、媒体カセット４０は、筐体１２の前面から挿抜可能とされる。操作板４２は、幅方向における長さが操作パネル３０と略同一となるように構成されている。媒体カセット４０は、例えば用紙などの媒体を積層状態で収容可能に構成されている。媒体カセット４０は、筐体１２に挿入されることによって、媒体を筐体１２の内部にセットする。
【００３０】
記録部５０は、筐体１２の内部に配置されている。記録部５０は、液体を用いて媒体に画像を記録可能に構成されている。記録部５０は、キャリッジ５１と、ヘッド５２とを備えている。キャリッジ５１は、筐体１２の内部において幅方向に移動可能とされている。ヘッド５２は、キャリッジ５１に搭載され、媒体に向けて例えばインクなどの液体を吐出可能とされている。すなわち、記録部５０は、液体を媒体に吐出することによって記録する。
【００３１】
記録部５０は、液体が供給されるためのチューブ５３を有している。チューブ５３は、記録部５０と液体収容部６０とに接続されている。チューブ５３を介することによって、液体収容部６０に収容される液体が記録部５０に供給される。
【００３２】
記録部５０は、筐体１２の内部を搬送される媒体に記録する。記録部５０は、例えば、媒体カセット４０から搬送される媒体に記録する。この場合、媒体カセット４０に収容されている媒体は、記録装置１１の背面側からその前面側に向けて、媒体カセット４０に収容されているときの状態からその姿勢が反転されるようにして搬送される。
【００３３】
本実施形態の記録装置１１は、その背面から媒体を供給可能に構成されている。この場合、記録装置１１の背面から供給された媒体は、筐体１２の内部においてその背面側から前面側に向けて搬送される。すなわち、本実施形態において、媒体が搬送される搬送方向は、記録装置１１の背面側から前面側に向かう方向である。媒体は、記録部５０によって記録された後、排出口から排出される。
【００３４】
収容部７０は、記録装置１１の前面側であって且つ幅方向において第１端側となる角に配置されている。収容部７０は、液体収容部６０を収容するためのケース７１と、蓋７２とを有している。ケース７１は、記録装置１１の外装の一部を構成している。ケース７１は、筐体１２の前面からせり出すように設けられている。すなわち、ケース７１の前面７３は、筐体１２の前面を構成する操作パネル３０、媒体カセット４０の操作板４２よりも前方に位置している。
【００３５】
ケース７１は、収容する液体収容部６０の一部を露出する露出孔７４を有している。露出孔７４は、ケース７１の前面７３に開口している。露出孔７４は、収容部７０が収容する液体収容部６０の数に対応して設けられている。露出孔７４は、ケース７１の前面７３において、その下部寄りの位置に幅方向に並んで複数設けられている。本実施形態のケース７１は、５つの露出孔７４を有している。すなわち、本実施形態の収容部７０は、５つの液体収容部６０を収容する。
【００３６】
蓋７２は、ケース７１の上部に配置されている。蓋７２は、ケース７１の前面７３側とは反対側となるその背面側を支点に、ケース７１に対して開閉可能に構成されている。蓋７２が開くと、ケース７１内の液体収容部６０が露出する。すなわち、蓋７２は、液体収容部６０に対して開閉可能に構成されているともいえる。
【００３７】
収容部７０は、蓋７２の上方に読取部２０の一部が重なるように設けられている。そのため、蓋７２は、読取部２０が筐体１２に対して開いている状態、すなわち筐体１２の内部が露出されている状態において開くことが可能となる。そのため、収容部７０は、読取部２０が筐体１２に対して閉じている場合、蓋７２がケース７１に対して閉じた状態でロックされる。なお、記録装置１１は、蓋７２の開閉を検知可能な検知部１２０を備えている。検知部１２０は、収容部７０に収容されている。
【００３８】
次に、液体収容部６０について説明する。
図２、図３及び図４に示すように、液体収容部６０は、幅方向に並んで複数設けられている。液体収容部６０は、それぞれ異なる種別の液体を収容する。本実施形態においては、液体収容部６０は、それぞれ異なる種類のインクを収容する。
【００３９】
５つの液体収容部６０のうち、幅方向において最も第２端側に位置する液体収容部６０は、他の４つの液体収容部６０と比較して幅方向における幅が大きく構成されている。すなわち、幅方向において最も第２端側に位置する液体収容部６０は、大容量の液体収容部６０とされている。本実施形態において、大容量の液体収容部６０は、ブラックの顔料インクを収容する。他の４つの液体収容部６０は、幅方向において第２端側から第１端側に向かって順に、シアン、イエロー、マゼンタ、ブラックの染料インクを収容する。
【００４０】
液体収容部６０は、半透明状若しくは透明状の樹脂を主として形成されている。液体収容部６０は、液体を補充可能に構成されている。液体収容部６０は、液体を貯留可能な貯留部６１と、貯留部６１に向けて液体を注入可能な注入部６２とを備えている。液体収容部６０は、注入部６２を覆うことが可能な栓１１０を備えている。
【００４１】
貯留部６１は、記録装置１１の奥行方向に延びるように直方体状に設けられている。貯留部６１は、その内部の空間が液体を貯留するための貯留室６３として構成されている。貯留室６３には、上下方向に延びる複数のリブ６４が設けられている。リブ６４は、液体収容部６０から記録部５０に向けて液体を供給する際に、貯留室６３に貯留される液体を撹拌させるために設けられている。なお、図３においては、大容量の液体収容部６０における貯留室６３が露出しているが、この側面には不図示のシートが熱溶着されている。
【００４２】
液体収容部６０は、貯留部６１の一部がケース７１の露出孔７４から露出するように収容部７０に収容されている。露出孔７４から露出する貯留部６１の一部は、貯留部６１の前面を構成する前壁である。貯留部６１は、半透明状若しくは透明状の樹脂によって構成されているため、光を透過可能とされている。
【００４３】
露出孔７４から露出する貯留部６１の前面は、貯留部６１に貯留されている液体を視認するための視認面６５とされている。本実施形態においては、貯留部６１の前面のうち、露出孔７４から露出する部分が視認面６５とされている。露出孔７４から露出する視認面６５は、上下方向に延びる略長方形状とされている。視認面６５には、貯留部６１に貯留されている液体の量を示すための目盛線６６が設けられている。目盛線６６は、視認面６５において、上下方向に複数並んで設けられている。
【００４４】
液体収容部６０は、ケース７１の露出孔７４を通じて視認面６５が視認可能となるように収容部７０に収容される。ケース７１の露出孔７４は、ユーザーが液体収容部６０に収容される液体の量を確認するための開口である。ユーザーは、露出孔７４を通じて視認面６５を視認することによって、液体収容部６０に収容されている液体の量を確認する。
【００４５】
注入部６２は、貯留部６１の上部に位置している。注入部６２は、貯留部６１の上壁から上方に延びるように設けられ、貯留部６１と一体的に構成されている。注入部６２は、貯留部６１の上壁において、視認面６５寄りとなる位置に設けられている。注入部６２は、その上部に注入口６７を有している。注入口６７は、上方に向かって延びる円筒状の部材である。注入部６２は、注入口６７を介して注入された液体を貯留部６１に導入するための流路をその内部に有している。すなわち、蓋７２は、液体収容部６０に対して閉じることで、注入口６７を覆う。蓋７２は、液体収容部６０に対して開くことで、注入口６７を露出させる。
【００４６】
栓１１０は、注入口６７に対して着脱可能とされている。栓１１０は、注入口６７から液体を漏れ出すことを抑制するための部材である。栓１１０は、注入口６７に取り付けられることによって、注入口６７を閉栓する。栓１１０は、注入口６７から取り外されることによって、注入口６７を開栓する。収容部７０の蓋７２が開くと、収容部７０に収容される液体収容部６０の注入口６７が露出する。収容部７０の蓋７２が開いた状態で、栓１１０が注入口６７から取り外されると、液体収容部６０に液体を注入可能な状態となる。なお、蓋７２の開閉を検知可能な検知部１２０は、栓１１０の着脱を検知可能とされている。
【００４７】
図５に示すように、本実施形態の記録装置１１は、記録装置１１の動作を統括的に制御する制御部８０を備えている。記録装置１１は、液体収容部６０に収容されている液体の量をユーザーが入力できるように構成されている。そのため、表示部３２は、液体収容部６０が収容する液体の量を適宜の量に設定可能な設定画面９０を表示可能とされている。設定画面９０は、制御部８０の処理に基づいて、表示部３２に表示される。制御部８０は、自身が記憶するプログラムに基づいて、設定画面９０を表示部３２に表示させる表示ステップを実行する。
【００４８】
制御部８０は、例えば、検知部１２０が、液体収容部６０を収容する収容部７０の蓋７２が開いたと検知した場合に、液体収容部６０に液体が補充されると判断して、表示部３２に設定画面９０を表示させる。なお、制御部８０は、検知部１２０が、栓１１０が注入部６２から取り外されたと検知した場合に、液体収容部６０に液体が補充されると判断して、表示部３２に設定画面９０を表示させてもよい。また、設定画面９０は、操作パネル３０を介するユーザーの操作によって、任意のタイミングで表示部３２に表示されてもよい。ユーザーは、液体収容部６０に液体を補充した後、視認面６５を見て、液体収容部６０が収容している液体の量を設定画面９０に入力する。制御部８０は、設定画面９０に入力された液体の量を記憶する。すなわち、設定画面９０に入力された液体の量が、液体収容部６０が収容する液体の量として制御部８０に設定される。
【００４９】
制御部８０は、記録部５０が吐出する液体の吐出量を液体の種別ごとにカウントする。制御部８０は、設定画面９０に入力された液体の量から記録部５０が吐出する液体の吐出量を差し引くことによって、液体収容部６０に現在収容されている液体の残量を算出する。制御部８０は、液体収容部６０に収容されている液体の残量が僅少になった場合に、表示部３２を介してユーザーに液体の補充を促す。制御部８０は、設定画面９０に液体の量が入力された際に、入力されたその液体の吐出量のカウントをリセットする。
【００５０】
次に、表示部３２が表示する設定画面９０について説明する。
図６に示すように、設定画面９０には、ケース７１の露出孔７４を介して視認される液体収容部６０の視認面６５を模したゲージ９１が表示されている。そのため、ゲージ９１には、視認面６５の目盛線６６と対応する目盛線９２が表示されている。目盛線９２は、ゲージ９１において、上下方向に複数並んで設けられている。
【００５１】
ゲージ９１は、設定画面９０において、幅方向に５つ並んで表示されている。５つのゲージは、それぞれ５つの液体収容部６０と対応している。ゲージ９１は、設定画面９０において、液体収容部６０の視認面６５とその縦横比が同一となるように表示されている。そのため、ゲージ９１は、視認面６５と同様に、上下方向に延びる略長方形状で表示されている。５つのゲージ９１のうち、幅方向において最も第２端側（図６において最も左側）に位置するゲージ９１は、他の４つゲージ９１と比べて幅広に表示されている。すなわち、幅方向において最も第２端側に位置するゲージ９１は、ブラックの顔料インクを収容する大容量の液体収容部６０と対応している。
【００５２】
設定画面９０は、液体収容部６０が収容する液体の量を、ゲージ９１を介して入力可能とされている。設定画面９０は、ゲージ９１における任意の位置をユーザーにより指示されることによって、その指示された位置に対応する液体の量が入力されるように構成されている。
【００５３】
ゲージ９１は、入力された液体の量を表示可能とされている。液体収容部６０が収容する液体の収容量と液体収容部６０が許容可能な液体の最大収容量との比率を収容率としたとき、ゲージ９１は、その下端が収容率０％、その上端が収容率１００％として、液体収容部６０が収容する液体の量を表示可能とされている。
【００５４】
本実施形態においては、表示部３２がタッチパネルで構成されている。そのため、ユーザーがゲージ９１における任意の位置を指で触れて指示することによって、その触れた位置に対応する液体の量が設定画面９０に入力される。例えば、ゲージ９１において、上下方向において中央となる位置をユーザーが指で触れて指示した場合、そのゲージ９１に対応する液体収容部６０に収容されている液体の量が、収容率５０％として設定画面９０に入力される。すなわち、設定画面９０に入力される液体の量は、ゲージ９１においてユーザーが指示する位置によって決まる。
【００５５】
設定画面９０には、ゲージ９１の下部に、そのゲージ９１が対応する液体収容部６０に収容される液体の種別情報を示す種別ボックス９３が表示されている。すなわち、種別ボックス９３は、ゲージ９１に対応して複数設けられている。本実施形態の液体収容部６０は、幅方向において第２端側から第１端側に向かって順に、ブラックの顔料インク、シアンの染料インク、イエローの染料インク、マゼンタの染料インク、ブラックの染料インクを収容している。そのため、本実施形態の種別ボックス９３は、幅方向において第２端側から第１端側（図６において左側から右側）に向かって、「Ｂｋ」、「Ｃ」、「Ｙ」、「Ｍ」、「ＰＢ」とその種別情報を示している。「Ｂｋ」は、ブラックを示す。「Ｃ」は、シアンを示す。「Ｙ」は、イエローを示す。「Ｍ」は、マゼンタを示す。「ＰＢ」は、フォトブラックを示す。すなわち、ゲージ９１は、設定画面９０において、対応する複数の液体収容部６０の視認面６５と配列が同一となるように表示されている。
【００５６】
設定画面９０には、ゲージ９１の上部に、そのゲージ９１が対応する液体収容部６０に収容される液体の量を文字情報として示す液体量ボックス９４が表示されている。すなわち、液体量ボックス９４は、ゲージ９１に対応して複数設けられている。液体量ボックス９４は、ユーザーがゲージ９１を介して液体の量を入力した際に、その入力された液体の量を文字情報として示す。例えば、ゲージ９１において、上下方向において中央となる位置をユーザーが指で触れて指示した場合、液体量ボックス９４には、その液体収容部６０に収容される液体の量を示す文字情報として「５０％」と表示される。
【００５７】
次に、上記のように構成された記録装置１１の作用として、液体収容部６０が収容する液体の量を入力する際の設定画面９０の表示について説明する。
本実施形態においては、ユーザーが液体収容部６０に液体を補充するべく収容部７０の蓋７２を開くと、表示部３２に設定画面９０が表示される。ユーザーは、液体収容部６０に対して液体の補充を終えると、液体を補充した液体収容部６０が収容している液体の量を設定画面９０に入力する。ここでは、５つの液体収容部６０のうち、幅方向において最も第２端側に位置する大容量の液体収容部６０に液体を補充した場合を考える。
【００５８】
設定画面９０に液体の量を入力する際、ユーザーは、まず、液体を補充した液体収容部６０の視認面６５を見て、液体収容部６０が収容している液体の量を確認する。このとき、ユーザーは、視認面６５から視認される液体の液面位置と視認面６５の目盛線６６とを見ることによって、液体収容部６０が収容する液体の量を把握する。
【００５９】
図７に示すように、ユーザーは、ゲージ９１に対してユーザー自身の指Ｐで触れることによって、設定画面９０に液体の量を入力する。このとき、ユーザーは、視認面６５を模したゲージ９１において、視認面６５から視認される液体の液面位置と対応する位置を指Ｐで触れる。例えば、液体収容部６０の視認面６５から視認される液体の液面位置が、上下方向において上から２番目に位置する目盛線６６と重なる位置にあるとする。このとき、ユーザーは、ゲージ９１において、上下方向において上から２番目に位置する目盛線９２と重なる位置を指Ｐで触れる。
【００６０】
ユーザーが指Ｐでゲージ９１に触れると、ゲージ９１において、その下端からユーザーが触れて指示した位置に亘って延びるバー９５が表示される。バー９５は、ゲージ９１においてユーザーが指示した位置を、ユーザーが視覚的に把握できるようにするための表示である。バー９５は、ゲージ９１においてその下端からユーザーが指示した位置に亘ってその領域を占めることによって、ユーザーが入力した液体の量をユーザーが視覚的に把握できるように表示している。なお、入力した液体の量を修正する場合、ユーザーは、指Ｐで再度ゲージ９１に触れることによって、液体の量を入力し直す。
【００６１】
バー９５は、そのゲージ９１が対応する液体収容部６０に収容される液体の色よりも淡い色で表示される。例えば、大容量の液体収容部６０にはブラックの顔料インクが収容されているため、図７におけるバー９５はグレーで表示される。
【００６２】
ユーザーが指Ｐでゲージ９１に触れて液体の量を入力すると、液体量ボックス９４は、ゲージ９１においてユーザーが触れた位置に対応する液体の量を文字情報として示す。本実施形態においては、ゲージ９１においてユーザーが触れた位置に対応して、「７０％」と表示されている。すなわち、収容率７０％となる量の液体が液体収容部６０に収容されているとして、液体収容部６０に収容されているその液体の量をユーザーが設定画面９０に入力したことになる。
【００６３】
図７に示すように、ゲージ９１においてその下端からユーザーが指示した位置に亘ってバー９５が表示されている状態は、設定画面９０に対して液体の量が仮入力の状態とされている。この状態において、操作パネル３０に設けられる確定ボタン、又は表示部３２に表示される確定ボタン等をユーザーが操作することによって、設定画面９０に対する液体の量の入力が確定される。
【００６４】
図８、図９及び図１０に示すように、設定画面９０に対する液体の量の入力が確定されると、入力された液体の量を示すメーター９６がゲージ９１に表示される。メーター９６は、ゲージ９１において、図８、図９、図１０の順に示すように、その下端から上方に向けて徐々に延びるように表示される。メーター９６は、そのゲージ９１が対応する液体収容部６０に収容される液体の色と同じ色で表示される。例えば、大容量の液体収容部６０にはブラックの顔料インクが収容されているため、図８、図９、図１０に示すメーター９６はブラックで表示される。
【００６５】
図８、図９及び図１０に示すように、設定画面９０に対する液体の量の入力が確定されると、メーター９６は、時間の経過に伴い、ゲージ９１においてバー９５が占める領域を、その下方から上方に向けて徐々に塗りつぶすように表示される。すなわち、表示部３２は、設定画面９０において、ゲージ９１においてその下端からユーザーが指示した位置に向けて徐々に着色されるようにして、入力された液体の量を表示する。最終的に、メーター９６は、図１０に示すように、ゲージ９１においてバー９５が占める領域をすべて塗りつぶすように表示される。
【００６６】
メーター９６は、バー９５と同様に、ゲージ９１内の領域を占めることによって、ユーザーが入力した液体の量をユーザーが視覚的に把握できるように表示している。すなわち、設定画面９０において、バー９５は仮入力用の表示であり、メーター９６は本入力用の表示であるともいえる。設定画面９０は、ユーザーが液体収容部６０の視認面６５から視認される液体の液面位置に基づいて、その液体収容部６０に収容される液体の量を視覚的に入力可能なグラフィカルユーザーインターフェースである。
【００６７】
上記実施形態によれば、以下のような効果を得ることができる。
（１）記録装置１１は、液体収容部６０が収容する液体の量を表示する表示部３２を備えている。表示部３２は、液体収容部６０が収容する液体の量を適宜の量に設定可能な設定画面９０を表示する。そのため、ユーザーが、視認面６５から視認される液体の量に基づいて、液体収容部６０に収容される液体の量を設定画面９０に入力する。すなわち、ユーザー自身が目視で確認した液体の量を記録装置１１に反映させることができる。したがって、簡易な構成で液体の量を把握できる。
【００６８】
（２）設定画面９０は、液体収容部６０に対して蓋７２が開いたことを検知部１２０が検知した際に、表示部３２に表示される。すなわち、蓋７２が開いた際に表示部３２に設定画面９０が表示されるため、ユーザーが液体の量を入力する際の使い勝手を向上できる。
【００６９】
（３）設定画面９０は、注入口６７から栓１１０が取り外されたことを検知部１２０が検知した際に、表示部３２に表示される。すなわち、栓１１０を取り外した際に表示部３２に設定画面９０が表示されるため、ユーザーが液体の量を入力する際の使い勝手を向上できる。
【００７０】
（４）表示部３２は、タッチパネルとして構成されている。そのため、ユーザーが液体の量を入力する際の使い勝手を向上できる。
（５）設定画面９０には、液体収容部６０の視認面６５を模したゲージ９１が表示され、ユーザーがゲージ９１における任意の位置を指示することによって、指示された位置に対応する液体の量が入力される。そのため、ユーザーが、ゲージ９１において、視認面６５から視認される液体の液面位置と一致する位置を指示する。これにより、液体収容部６０に収容される液体の量が入力される。この構成によれば、視認面６５から視認される液体の量に基づいて、ユーザーがその液体の量を視覚的に入力できる。
【００７１】
（６）表示部３２は、液体の量が入力されると、ゲージ９１においてその下端からユーザーが指示した位置に向けて徐々に着色されるようにして、入力された液体の量を表示する。そのため、ユーザーが入力した液体の量をユーザーに対してイメージし易く表示できる。
【００７２】
（７）表示部３２は、液体の量が入力されると、ゲージ９１においてその下端からユーザーが指示した位置に亘って延びるバー９５を表示する。そのため、ユーザーが指示した位置をユーザーに対してイメージし易く表示できる。
【００７３】
（８）ゲージ９１は、視認面６５と縦横比が同一となるように表示される。すなわち、ゲージ９１が液体収容部６０の視認面６５と近しいイメージで表示される。そのため、ユーザーが液体の量を入力する際の使い勝手を向上できる。
【００７４】
（９）液体収容部６０は複数設けられ、ゲージ９１は、複数の液体収容部６０の視認面６５と配列が同一となるように表示される。すなわち、ゲージ９１が液体収容部６０の視認面６５と近しいイメージで表示される。そのため、ユーザーが液体の量を入力する際の使い勝手を向上できる。
【００７５】
（１０）設定画面９０には、入力された液体の量を文字情報として示す液体量ボックス９４が表示される。そのため、ユーザーが入力した液体の量をユーザーに対して分かり易く表示できる。
【００７６】
（１１）液体量ボックス９４は、ゲージ９１の上部又は下部に位置するように表示される。そのため、ユーザーが入力した液体の量をユーザーに対して分かり易く表示できる。
なお、上記実施形態は以下のように変更してもよい。なお、以下の変更例は、適宜組み合わせてもよい。
【００７７】
・図１１に示すように、設定画面９０は、予め規定された複数の規定量と対応する複数の規定量ボックス９７を介して液体の量を入力可能に構成されてもよい。すなわち、この変更例における設定画面９０には、ゲージ９１に替えて、規定量ボックス９７が表示される。
【００７８】
規定量ボックス９７は、設定画面９０において、種別ボックス９３ごとに上下に４つ並んでいる。規定量ボックス９７は、上から順に、１００％、７５％、５０％、２５％と予め規定された規定量と対応している。この規定量は、液体収容部６０の収容率と対応している。なお、規定量ボックス９７は、種別ボックス９３ごとに５つ以上設けられてもよいし、３つ以下でもよい。また、規定量ボックス９７が対応する規定量は、８０％、６０％等その他の数値でもよい。
【００７９】
設定画面９０は、上下に並ぶ複数の規定量ボックス９７から一の規定量ボックス９７をユーザーにより選択されることによって、その選択された規定量ボックス９７が対応する規定量が、液体の量として入力されるように構成されている。すなわち、ユーザーは、ブラックの顔料インクを収容する大容量の液体収容部６０に収容されている液体の量を入力する際、その液体収容部６０の視認面６５を見て、複数の規定量ボックス９７から選択する。図１１においては、規定量が７５％と表示されている規定量ボックス９７が選択されているため、大容量の液体収容部６０が収容する液体の量は、収容率７５％として設定画面９０に入力される。
【００８０】
上記変更例によれば、上記実施形態における（１）、（２）、（３）、（４）の効果に加えて以下のような効果を得ることができる。
（１２）ユーザーが、視認面６５から視認される液体の量に基づいて、液体収容部６０に収容される液体の量を複数の規定量から選択して入力する。そのため、ユーザーが液体の量を容易に入力できる。
【００８１】
・図１２に示すように、液体収容部６０に収容されている液体の量を入力するための設定画面９０は、記録装置１１と通信可能な情報処理装置１００に表示されてもよい。この変更例における情報処理装置１００は、いわゆるパーソナルコンピューターである。
【００８２】
情報処理装置１００は、情報を処理するための処理部１０１と、情報処理装置１００を操作するための操作部であるキーボード１０２及びマウス１０３と、情報を表示するための表示部１０４とを備えている。処理部１０１は、例えばＣＰＵ等を内蔵するコンピューター本体であり、装置全体を制御する制御部として機能する。表示部１０４は、例えばモニターである。
【００８３】
情報処理装置１００は、処理部１０１の処理に基づいて、表示部１０４に設定画面９０を表示可能に構成されている。すなわち、処理部１０１は、表示部１０４に設定画面９０を表示させる表示ステップを実行するためのプログラムを記憶している。ユーザーは、液体収容部６０の視認面６５から視認される液体の液面位置に基づいて、情報処理装置１００の表示部１０４に表示される設定画面９０にその液体の量を入力する。情報処理装置１００は、設定画面９０に入力されたその液体の量を記録装置１１に送信する。記録装置１１は、情報処理装置１００から受信したその液体の量を記憶する。
【００８４】
情報処理装置１００は、パーソナルコンピューターに限らず、スマートフォン等のＰＤＡでもよい。また、情報処理装置１００は、表示部１０４に設定画面９０を表示させるプログラムを記憶していなくともよい。例えば、情報処理装置１００は、ＵＳＢフラッシュドライブ、ＣＤ−ＲＯＭ等の記憶媒体が記憶しているプログラムを読み出すことによって、表示部１０４に設定画面９０を表示する構成でもよい。また、記憶媒体を介してそのプログラムを処理部１０１が記憶した後に、そのプログラムを実行して設定画面９０を表示してもよい。
【００８５】
・記録装置１１は、蓋７２の開閉と栓１１０の着脱との双方を検知可能な検知部１２０を備える構成に限らない。例えば、記録装置１１は、蓋７２の開閉を検知可能な第１検知部と、栓１１０の着脱を検知可能な第２検知部とを備える構成としてもよい。
【００８６】
・蓋７２は設けられていなくてもよい。この場合、栓１１０が設けられていることが好ましい。
・栓１１０は設けられていなくてもよい。この場合、蓋７２が設けられていることが好ましい。
【００８７】
・記録装置１１は、液体収容部６０が収容する液体の量をユーザーが手動で入力可能な構成であればよい。そのため、液体の量を入力するための設定画面９０は、図６、図１１に示すような表示の画面に限らない。設定画面９０は、液体収容部６０の視認面６５を視認して得られる情報に基づいて、ユーザーが手動でその液体の量を入力できるような表示の画面であればよい。
【００８８】
・記録装置１１は、ＵＳＢフラッシュドライブ、ＣＤ−ＲＯＭ等の記憶媒体が記憶しているプログラムを読み出すことによって、表示部３２に設定画面９０を表示する構成でもよい。また、記憶媒体を介してそのプログラムを制御部８０が記憶した後に、そのプログラムを実行して設定画面９０を表示してもよい。
【００８９】
・設定画面９０が表示部３２に表示される際に、液体収容部６０が現在収容している液体の残量がゲージ９１に表示されてもよい。すなわち、表示部３２は、液体収容部６０が収容する液体の残量を表示するように構成されてもよい。
【００９０】
・バー９５は表示されなくともよい。例えば、ユーザーがゲージ９１における任意の位置を指示した際に、ゲージ９１にメーター９６が表示されてもよい。
・メーター９６は、ゲージ９１内を徐々に着色するように表示されなくともよい。例えば、液体の量の入力が確定される際、ゲージ９１においてその下端からユーザーが指示した位置に亘って一気にメーター９６が表示されてもよい。すなわち、設定画面９０は、図８及び図９に示すような表示をしなくともよい。
【００９１】
・液体量ボックス９４は、設定画面９０において、ゲージ９１の下部に表示されてもよい。液体量ボックス９４は、設定画面９０において、ゲージ９１との対応関係が把握できるように表示されていればよい。また、設定画面９０において、液体量ボックス９４は表示されなくともよい。
【００９２】
・液体量ボックス９４は、例えば、液体の量をグラムで表示してもよい。
・設定画面９０において、種別ボックス９３は表示されなくともよい。
・表示部３２は、タッチパネルでなくともよい。例えば、操作パネル３０に設けられる操作ボタン、操作レバー等を介して、設定画面９０に液体の量を入力してもよい。
【００９３】
・記録装置１１は、インク以外の他の流体（液体や、機能材料の粒子が液体に分散又は混合されてなる液状体、ゲルのような流状体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００９４】
１１…記録装置、３２…表示部、５０…記録部、６０…液体収容部、６５…視認面、８０…制御部、９０…設定画面、９１…ゲージ、９２…目盛線、９３…種別ボックス、９４…液体量ボックス、９５…バー、９７…規定量ボックス、１００…情報処理装置、１０１…処理部（制御部）、１０２…キーボード、１０３…マウス、１０４…表示部、１１０…栓、１２０…検知部。
【図１】
2019010797.tif 000003
【図２】
2019010797.tif 000004
【図３】
2019010797.tif 000005
【図４】
2019010797.tif 000006
【図５】
2019010797.tif 000007
【図６】
2019010797.tif 000008
【図７】
2019010797.tif 000009
【図８】
2019010797.tif 000010
【図９】
2019010797.tif 000011
【図１０】
2019010797.tif 000012
【図１１】
2019010797.tif 000013
【図１２】
2019010797.tif 000014